(57)【要約】      （修正有）【課題】健康効果が安定していて、効果の持続性の高い機能性眼鏡フレームを取り付けた眼鏡を、安価で提供する。【解決手段】金属製またはプラスチック製の眼鏡フレームに３２〜３８テラヘルツの共鳴電磁波を照射し、共鳴電磁波を眼鏡に転写することで、眼鏡フレーム自体を、共鳴電磁波１３の転写放射体とする。機能性眼鏡フレームは、共鳴電磁波を放射し、装着する人体の水分の水素結合を共振励起し、水素結合を分離する。そして水素結合から放出された電子が高速で移動し、他の原子や分子と衝突することにより、衝突エネルギーが発生し、基礎体温を高め、免疫力を改善し、脳細胞を活性化する。【選択図】図２
0003212665.tif 000002
【実用新案登録請求の範囲】
【請求項１】
３２〜３８テラヘルツの共鳴電磁波を、２〜１２時間、２０℃〜９０℃の温度条件下で、金属製またはプラスチック製の眼鏡フレームに照射することで、当該眼鏡フレーム自体を当該共鳴電磁波の転写放射体とすることにより３２〜３８テラヘルツの共鳴電磁波を顔面部に放射することを特徴とする金属製またはプラスチック製の機能性眼鏡フレームを使用した眼鏡。
【考案の詳細な説明】
【技術分野】
【０００１】  本考案は、３２〜３８テラヘルツの共鳴電磁波を、装着する人の頭部および顔面部に放射することを特徴とする金属製またはプラスチック製の機能性眼鏡フレームを使用した眼鏡に関するものである。
【背景技術】
【０００２】  近年、眼鏡使用者の数が増え、眼鏡の装着時の負荷を軽減することを目的とし様々な機能性眼鏡フレームが開発されている。【０００３】  多くの機能性眼鏡フレームは、眼鏡フレームの母材に遠赤外線領域の電磁波を放射する鉱石やセラミックやを取り付けたり、鉱石やセラミックや金属の粉末を眼鏡フレーム材料に練りこんだり、塗布している。
【特許文献１】特開２０１２−０４２８３８
【特許文献２】特開平０８−０３３７２３
【特許文献３】実願３０８９０５７
【考案の概要】
【考案が解決しようとする課題】
【０００４】  近年、眼鏡装着時の負荷を軽減したり、積極的な健康効果を目的としたさまざまな機能性眼鏡フレームが開発されている。しかし、効果が明確でなく、比較的高価なものが多いことが、問題となっている。【０００５】  また、磁石や遠赤外線を放射する金属や鉱石やセラミックを取り付けたり、その粉末を練りこんだ金属製またはプラスチック製の機能性眼鏡フレームも開発されているが、放射している電磁波の周波数が明確でないものが多く、効果や耐久性にも問題があった。
【課題を解決するための手段】
【０００６】  このような課題を解決するために、本考案者は、３２〜３８テラヘルツの共鳴電磁波を、２〜１２時間、２０℃〜９０℃の温度条件下で、金属製またはプラスチック製の眼鏡フレームに照射することで、当該眼鏡フレーム自体が当該共鳴電磁波の転写放射体となり、自らが当該共鳴電磁波の発射体となることを見出し、本考案をなすに至った。【０００７】  すなわち、上記課題を解決するために本発明では、３２〜３８テラヘルツの共鳴電磁波を放射する物質と、金属製またはプラスチック製の眼鏡フレームを近接させ、２０℃〜９０℃の温度条件下で、２〜１２時間放置し、当該共鳴電磁波の放射体から発射される電磁波を当該眼鏡ジュレームに照射し、共振作用により、当該眼鏡フレームに当該共鳴電磁波を転写し、当該眼鏡フレーム自体を当該共鳴電磁波の転写放射体とする。【０００８】  眼鏡フレーム自体を共鳴電磁波の転写放射体とすることで、磁力や遠赤外線電磁波を放射する鉱石やセラミックや金属の粉末を、母材に含ませたり付着させた製品よりも耐久性が増し、当該粉末の剥離により効力が減じるという問題を解決できる。【０００９】  また、当該金属製またはプラスチック製の機能性眼鏡フレームから放射される共鳴電磁波の周波数を、３２〜３８テラヘルツと限定することで、周波数によって効果が期待できないという問題点を解決できる。
【考案の効果】
【００１０】  本考案によれば、効果が明確で、効果の持続性の高い３２〜３８テラヘルツの共鳴電磁波を、転写放射する金属製またはプラスチック製の機能性眼鏡フレームを低コストで、大量に提供できる。【００１１】  また、本考案による金属製またはプラスチック製の機能性眼鏡フレームは、眼鏡を装着する人に、約３０℃〜約６０℃の温度エネルギーに相当する３２〜３８テラヘルツの共鳴電磁波を放射し、装着する人体の水分の水素結合を共振励起し、当該水素結合を分離する。そして当該水素結合から放出された電子が高速で移動し、他の原子や分子と衝突することにより、衝突エネルギーが発生し、基礎体温を高め、免疫力を改善し、脳細胞を活性化する。【００１２】  また、当該共鳴電磁波は、当該機能性眼鏡フレームを装着する人の頭部や顔面部の血液の水素結合を共振励起し、分離することにより、血液を浄化することができ、酸素や栄養を有効に体内の各細胞に、効果的に運ぶことができるようになり、顔の皮膚細胞や網膜組織や水晶体の活性化を促進し、眼精疲労や視力の回復や白内障対策や偏頭痛対策にも効果的になる。【００１３】  また、当該共鳴電磁波は、当該機能性眼鏡フレームを装着する人の顔面部の余剰脂肪の水素結合を分離し、低分子量化し、燃焼を促進することで、フェースリフトアップの効果も発揮する。
【考案を実施するための形態】
【００１４】  以下、本考案の実施形態について図面を参照しながら詳細に説明する。
図１は、本考案の眼鏡に使用する機能性眼鏡フレームの製造方法の概念を示す。
図２は、本考案の眼鏡に使用する機能性眼鏡フレームの作用概念を示す正面図である。
【００１５】  図１に示すように、共鳴電磁波放射シート１の上に、眼鏡フレーム２を密着させて置き当該シート１から放射される３２〜３８テラヘルツの共鳴電磁波３を、当該眼鏡フレーム２に２〜１２時間照射する。
【００１６】  当該共鳴電磁波放射シート１の下には２０℃〜９０℃の温度調節が可能なヒーター４が設けられていて、３２〜３８テラヘルツの共鳴電磁波３を当該眼鏡フレーム２に効率良く照射できる。
【００１７】図２に示すように、本考案の共鳴電磁波の転写体である機能性眼鏡フレーム１２から、人体の頭部および顔面部１１に共鳴電磁波１３が放射される。
【００１８】  人体の頭部および顔面部１１には、血液や細胞組織に含まれる水があり、水素結合で水分子クラスター１４を形成している。当該水分子クラスター１４の水素結合は、機能性眼鏡フレーム１２から放射される共鳴電磁波１３により共振励起され、当該水素結合が分断され、水素陽イオン１５および電子１６が放出される。
【００１９】  水素結合の分断により放出された水素イオン１５および電子１６は高速で動き、周辺の分子や原子に衝突し、衝突エネルギーを発生させ、当該機能性眼鏡フレーム１２を装着する人の頭部および顔面部１１や身体全体の基礎体温を高め、血流を改善し、免疫力を向上させ、脳細胞の活性化に効果的となる。
【００２０】  また、当該共鳴電磁波１３は、当該機能性眼鏡フレーム１２を装着する人体の頭部および顔面部１１の筋肉細胞や網膜細胞やその他の疲労蓄積等で硬化した細胞の水素結合を共振励起し、還元再生し、柔軟にすることで、目の疲れを取り除き、視力回復や偏頭痛対策にも効果的となる。
【００２１】  また、当該共鳴電磁波１３は、当該機能性眼鏡フレーム１２を装着する人体の頭部および顔面部１１の余分な脂肪の水素結合を分断し低分子量化することで燃焼しやすくし、顔のリフトアップ効果を発揮する。
【００２２】  さらに、当該共鳴電磁波１３は、当該機能性眼鏡フレーム１２を装着する人の眼球の水晶体の酸化劣化を防ぎ、白内障対策にも効果的となる。
【実施例】
【００２３】  数多くの人たちの装着テストを通して下記の効果が確認されている。
＊偏頭痛対策効果
＊眼精疲労除去
＊顔のしわをなくす効果
＊顔のリフトアップ効果
＊花粉症治療効果
＊視力回復効果
【産業上の利用可能な分野】
【００２４】  本考案は、眼鏡の装着負荷を軽減するだけでなく、美容効果や、花粉症対策や白内障対策等の医療健康分野でも利用できる。
【図面の簡単な説明】
【００２５】
【図１】は本考案の眼鏡に使用する機能性眼鏡フレームの製造方法の概念を示す。
【図２】は本考案の眼鏡に使用する機能性眼鏡フレームの作用概念を示す正面図である。
【符号の説明】
【００２６】１    共鳴電磁波放射シート
２    眼鏡フレーム
３    共鳴電磁波
４    ヒーター
１１  頭部および顔面部
１２  機能性眼鏡フレーム
１３  共鳴電磁波
１４  水分子クラスター
１５  水素陽イオン
１６  電子
【図１】
0003212665.tif 000003
【図２】
0003212665.tif 000004